【手続補正書】
【提出日】平成28年9月28日(2016.9.28)
【手続補正１】
【補正対象書類名】特許請求の範囲
【補正対象項目名】全文
【補正方法】変更
【補正の内容】
【特許請求の範囲】
【請求項１】
アカウントを作成する為の要求を第１のユーザから少なくとも１個のプロセッサによって受け取るステップと、
前記アカウントの複数のアカウントホルダの指定を前記第１のユーザから前記少なくとも１個のプロセッサによって受け取るステップと、
アカウント資産を前記アカウント外に移す権限を与えられた前記複数のアカウントホルダのうちの一部の指定を前記第１のユーザから前記少なくとも１個のプロセッサによって受け取るステップであって、前記複数のアカウントホルダのうちの前記一部は第２のユーザを含む、ステップと、
前記アカウントにおいて資産を取引する権限を与えられた１人またはそれ以上のアカウントホルダについての権限情報を前記第１のユーザから前記少なくとも１個のプロセッサによって受け取るステップと、
アカウントホルダを前記アカウントに追加し、又は前記アカウントから除去できる方法を定める規則の指定を前記第１のユーザから前記少なくとも１個のプロセッサによって受け取るステップと、
前記少なくとも１個のプロセッサによって前記アカウントをアクティブにするステップと、
前記アカウントの資産を取り引きする為の要求を前記第２のユーザから前記少なくとも１個のプロセッサによって受け取るステップであって、前記アカウントの資産を取り引きする為の要求は、（１）前記アカウントにおいて金融商品を売ることの要求、（２）前記アカウントのために金融商品を買うことの要求、あるいは（３）前記アカウントにおける金融商品の少なくとも一部と前記アカウントの外の他の金融商品の少なくとも一部を交換することの要求、の少なくとも一つを含む、ステップと、
前記受け取られた権限情報に基づいて前記第２のユーザが前記アカウントにおいて資産を取引する権限を与えられたか否かを前記少なくとも１個のプロセッサによって決定するステップと、
前記受け取られた権限情報に基づいて前記第２のユーザが前記アカウントにおいて資産を取引する権限を与えられたか否かを前記少なくとも１個のプロセッサによって決定することに応じて、前記少なくとも１個のプロセッサによって前記要求された取引を生じさせるステップと、
アカウントホルダを追加し又は除去できる方法を定める前記規則に従い、前記少なくとも１個のプロセッサによって新たなアカウントホルダを前記アカウントに追加するステップと、
を含む、方法。
【請求項２】
前記アカウントにおいて金融商品を売ることの要求を含む前記要求が、
レポ取引にアカウント資産を使用する為の要求を前記少なくとも１個のプロセッサによって受け取るステップと、
前記少なくとも１個のプロセッサによって前記レポ取引を生じさせるステップと、
レポ取引にアカウント資産を使用する為の前記要求が、利率、前記レポ取引の満了日、前記レポ取引の影響を受けるアカウント資産、及び前記レポ取引の影響を受ける前記アカウントの外にある資産を定めるステップを含む、
請求項１に記載の方法。
【請求項３】
前記アカウントのために金融商品を買うことの要求を含む前記要求が、
前記要求された取引を生じさせるステップの前に、前記第２のユーザが前記要求された取引を行う権限を有するとアカウントパラメータが規定しているかどうかを前記少なくとも１個のプロセッサによって判定するステップ、
を更に含む、請求項１に記載の方法。
【請求項４】
前記アカウントにおける金融商品の少なくとも一部と前記アカウントの外の他の金融商品の少なくとも一部を交換することの要求を含む前記要求が、
複数の金融商品を含む投資信託を前記アカウント内に前記少なくとも１個のプロセッサによって生成するステップと、
前記アカウント内の前記投資信託の株を買い込む為の要求を第３のユーザから前記少なくとも１個のプロセッサによって受け取るステップと、
或る資金額を前記第３のユーザから前記少なくとも１個のプロセッサによって受け取るステップと、
前記資金額を使用し、前記投資信託の為の更なる資産を購入するステップと、
前記アカウント内の前記投資信託の部分所有権を示す証拠を前記少なくとも１個のプロセッサによって前記第３のユーザに伝送するステップと、
を更に含む、請求項１に記載の方法。
【請求項５】
前記投資信託を第２のアカウント内の第２の投資信託と結合する為の要求を前記少なくとも１個のプロセッサによって受け取るステップと、
前記投資信託を前記第２の投資信託と結合する為の前記要求の承諾を、前記第１のアカウントの許可されたアカウントホルダから前記少なくとも１個のプロセッサによって受け取るステップと、
前記投資信託と前記第２の投資信託とを単一の投資信託へと前記少なくとも１個のプロセッサによって結合させるステップと、
前記アカウントのアカウントホルダと前記第２のアカウントのアカウントホルダとの間で、前記結合された投資信託の所有権の割当てを決定するステップと、
前記第２のユーザが前記アカウントにおいて金融商品を取引する権限を与えられていないことを示す更新された権限情報を第１のユーザから受け取るステップと、
前記アカウントにおいて１つまたはそれ以上の金融商品を取引することの第２の要求を前記第２のユーザから受け取るステップと、
前記第２の要求を拒否するステップと、
を更に含む、請求項１に記載の方法。
【請求項６】
提案された販売及び買戻し約定（レポ）に準じて前記アカウント内の金銭を使用する為の要求を当事者から受け取るステップと、
アカウント資金を移す権限を有するアカウントホルダから、前記提案された販売及び買戻し約定を締結し、前記約定に準じて前記当事者に或る金額を移す為の命令を受け取るステップであって、前記販売及び買戻し約定は、移されるアカウント資金額、前記アカウント内に移される１つ又は複数の資産、利率又は利払い額、及び将来の清算日を定める、ステップと、
前記命令に応答し、前記少なくとも１個のプロセッサによって前記アカウントから前記当事者に前記金額を移させるステップと、
前記命令に応答し、前記少なくとも１個のプロセッサによって前記１つ又は複数の資産を前記アカウント内に移させるステップと
前記清算日に、前記少なくとも１個のプロセッサによって前記アカウントから前記当事者に前記１つ又は複数の資産を返却させるステップと、
前記清算日に、前記少なくとも１個のプロセッサによって前記金額に利息額を加えた額を前記当事者から前記アカウント内に移させるステップと、
を更に含む、請求項１に記載の方法。
【請求項７】
提案された販売及び買戻し約定（レポ）に準じて前記アカウント内の１つ又は複数の資産を使用する為の要求を当事者から受け取るステップ
を更に含む、請求項１に記載の方法。
【請求項８】
アカウント資産を移す権限を有するアカウントホルダから、前記提案された販売及び買戻し約定を締結し、前記約定に準じて前記当事者に前記要求された１つ又は複数の資産を移す為の命令を受け取るステップであって、前記販売及び買戻し約定は、移されるアカウント資産、前記アカウント内に移される金額、利率又は利払い額、及び将来の清算日を定める、ステップと、
前記命令に応答し、前記少なくとも１個のプロセッサによって前記当事者から前記アカウントに前記金銭を移させるステップと、
前記命令に応答し、前記少なくとも１個のプロセッサによって前記金額を前記アカウント内に移させるステップと、
前記清算日に、前記少なくとも１個のプロセッサによって前記当事者から前記アカウントに前記１つ又は複数の資産を返却させるステップと、
前記清算日に、前記少なくとも１個のプロセッサによって前記金額に利息額を加えた額を前記アカウントから前記当事者に移させるステップと
を更に含む、請求項７に記載の方法。
【請求項９】
規則の指定を前記第１のユーザから前記少なくとも１個のプロセッサによって受け取るステップを含み、
前記規則の指定が、
前記アカウントが作成され得る前に満たされなければならない初期要件を定めるもの、
前記アカウントがアクティブにされ得る前に前記アカウントに出資されなければならない最低金額を定めるもの、
前記アカウントがアクティブにされ得る前に前記アカウントに参加しなければならない最低ユーザ数を定めるもの、
アカウント資産の所有権をアカウントホルダの間で分配する方法を定めるもの、
前記アカウントを管理する為の管理料を定めるもの、
他の資産と引き換えにアカウント資産を取り引きする権限をどのアカウントホルダが有するのかを定めるもの、
アカウントホルダが所有する前記アカウントの割当分に基づき、前記アカウントホルダが前記アカウント内の資金をどのように及び何時回収できるのかを定めるもの、
取引され得る前記アカウント内の資産の額に対する限度を定めるもの、
アカウント資金を使用して購入され得る資産の種類に対する制限を定めるもの、
アカウントホルダに対するアカウント情報の表示に関するもの、
前記アカウントに関連するロゴをアカウントホルダが決定できる方法を管理するもの、 前記アカウントと取り引きすることができない相手方を定めるもの、
前記アカウントの資産を別のアカウントの資産と前記結合することを管理するもの、
前記アカウントを別のアカウントと前記結合することを管理するもの、
価値と交換可能なポイントをアカウントホルダが稼ぐ方法を管理するもの、
前記アカウントのポートフォリオの財務実績を測定する方法を管理するもの、
複数の違反行為についてアカウントホルダに対して課される罰則を定めるもの、あるいは、
前記アカウントにアカウントホルダを追加または除去する条件を定めるもの、
の少なくとも一つである、
請求項１に記載の方法。
【請求項１０】
前記アカウントが子の為に作成され、且つ前記子の親によって定められる指針によって管理される、請求項１に記載の方法。
【請求項１１】
アカウントホルダによるアカウント活動及び前記アカウントホルダからの通信に基づき、前記アカウントホルダに関する情報を前記少なくとも１個のプロセッサによって求めるステップと、
前記アカウントホルダに関して求めた前記情報に基づき、前記アカウントホルダ向けの複数の広告のうちの１つを前記少なくとも１個のプロセッサによって選択するステップと、
前記少なくとも１個のプロセッサによって、前記選択した広告を前記アカウントホルダ向けに伝達させるステップと
を更に含む、請求項１に記載の方法。
【請求項１２】
前記アカウントのアカウントホルダからビデオを前記少なくとも１個のプロセッサによって受け取るステップと、
前記ビデオの表示を複数のユーザに向けて表示させるステップと、
ユーザによる前記表示の選択を受け取るステップと、
前記選択に応答し、前記ビデオを前記ユーザに向けて表示させるステップと、
前記ビデオに関連する評価表示を前記ユーザに向けて表示させるステップと、
前記評価表示の選択を受け取るステップと、
前記評価表示の選択を受け取ることに応答し、前記ビデオに関する評価情報について前記ユーザを促すステップと、
前記ビデオに関する評価情報を前記少なくとも１個のプロセッサによって受け取るステップと
を更に含む、請求項１に記載の方法。
【請求項１３】
前記アカウントホルダを含む複数のユーザによってアップロードされた複数のビデオに関する評価情報を受け取るステップと、
ビデオごとに受け取った前記評価情報を集約するステップと、
前記複数のビデオの中から最も評価が高いビデオを決定するステップであって、前記決定された最も評価が高いビデオは前記アカウントホルダから受け取られる前記ビデオを含む、ステップと、
最も評価が高いビデオの一覧を表示させるステップであって、前記一覧は前記最も評価が高いビデオとしての前記ビデオの識別情報を含む、ステップと
を更に含む、請求項１２に記載の方法。
【請求項１４】
前記ビデオが金融概念に関するチュートリアルを含む、請求項１２に記載の方法。
【請求項１５】
前記アカウントホルダから受け取られるビデオが前記最も評価が高いビデオであると判定することに応答し、前記少なくとも１個のプロセッサによって前記アカウントホルダに利益を授与するステップを含み、
前記利益が、（１）金銭、（２）前記システムへのコンテンツのプロバイダを選択する権利、および指定のトピックに関するコンテンツを前記システムに与える為に招待される人物を選択する権利、を含む、
請求項１２に記載の方法。
【請求項１６】
複数のロゴであって、それぞれのロゴがアカウントに関連する複数のロゴに関する評価情報を受け取るステップと、
前記評価情報に基づいて最も評価が高いロゴを決定するステップと、
前記最も評価が高いロゴに関連するアカウントに利益を授与するステップと
を更に含む、請求項１に記載の方法。
【請求項１７】
アカウント資金をグループイベントに割り振る為の要求をアカウントホルダから受け取るステップと、
アカウント資金をグループイベントに割り振る為の前記要求を、前記アカウントの資金を割り振る権限を与えられたアカウントホルダに伝達するステップと、
前記アカウントに資金を割り振る権限を与えられた前記アカウントホルダから、前記グループイベントに資金を割り振る命令を受け取るステップと、
前記グループイベントに前記資金を割り振らせるステップと
を更に含む、請求項１に記載の方法。
【請求項１８】
ドル預託証券の売りを提供するステップであって、前記提供する行為は、前記ドル預託証券に関する情報を表示装置において表示させるステップを含み、前記ドル預託証券は取引所で取り引きされる金融商品内の部分的権益を表し、前記情報は前記ドル預託証券の値付けに関連する時間及び前記金融商品の指示を含む、ステップと、
第１の量の前記ドル預託証券を買う為の要求をユーザから少なくとも１個のプロセッサによって受け取るステップと、
前記第１の量の前記ドル預託証券に対する支払を前記ユーザから前記少なくとも１個のプロセッサによって受け取るステップと、
前記第１の量の前記ドル預託証券の所有権の証拠を前記ユーザに前記少なくとも１個のプロセッサによって伝送するステップと
を更に含む、請求項１に記載の方法。
【請求項１９】
少なくとも１個のプロセッサと、
実行時に請求項１〜５３の何れか一項に記載の方法を実行するように前記少なくとも１個のプロセッサに指示する命令を記憶する少なくとも１つのメモリと
を含む、機器であって、
前記命令が、
アカウントを作成する為の要求を第１のユーザから受け取るステップと、
前記アカウントの複数のアカウントホルダの指定を前記第１のユーザから受け取るステップと、
アカウント資産を前記アカウント外に移す権限を与えられた前記複数のアカウントホルダのうちの一部の指定を前記第１のユーザから受け取るステップであって、前記複数のアカウントホルダのうちの前記一部は第２のユーザを含む、ステップと、
前記アカウントにおいて資産を取引する権限を与えられた１人またはそれ以上のアカウントホルダについての権限情報を前記第１のユーザから受け取るステップと、
アカウントホルダを前記アカウントに追加し、又は前記アカウントから除去できる方法を定める規則の指定を前記第１のユーザから受け取るステップと、
前記アカウントをアクティブにするステップと、
前記アカウントの資産を取り引きする為の要求を前記第２のユーザから受け取るステップであって、前記アカウントの資産を取り引きする為の要求は、（１）前記アカウントにおいて金融商品を売ることの要求、（２）前記アカウントのために金融商品を買うことの要求、あるいは（３）前記アカウントにおける金融商品の少なくとも一部と前記アカウントの外の他の金融商品の少なくとも一部を交換することの要求、の少なくとも一つを含む、ステップと、
前記受け取られた権限情報に基づいて前記第２のユーザが前記アカウントにおいて資産を取引する権限を与えられたか否かを決定するステップと、
前記受け取られた権限情報に基づいて前記第２のユーザが前記アカウントにおいて資産を取引する権限を与えられたか否かを決定することに応じて、前記要求された取引を生じさせるステップと、
アカウントホルダを追加し又は除去できる方法を定める前記規則に従い、新たなアカウントホルダを前記アカウントに追加するステップと、
を含む、機器。
【請求項２０】
少なくとも１個のプロセッサに実行させるように構成される命令を記憶する、コンピュータ読み取り可能な記録媒体であって、
前記命令が、
アカウントを作成する為の要求を第１のユーザから受け取るステップと、
前記アカウントの複数のアカウントホルダの指定を前記第１のユーザから受け取るステップと、
アカウント資産を前記アカウント外に移す権限を与えられた前記複数のアカウントホルダのうちの一部の指定を前記第１のユーザから受け取るステップであって、前記複数のアカウントホルダのうちの前記一部は第２のユーザを含む、ステップと、
前記アカウントにおいて資産を取引する権限を与えられた１人またはそれ以上のアカウントホルダについての権限情報を前記第１のユーザから受け取るステップと、
アカウントホルダを前記アカウントに追加し、又は前記アカウントから除去できる方法を定める規則の指定を前記第１のユーザから受け取るステップと、
前記アカウントをアクティブにするステップと、
前記アカウントの資産を取り引きする為の要求を前記第２のユーザから受け取るステップであって、前記アカウントの資産を取り引きする為の要求は、（１）前記アカウントにおいて金融商品を売ることの要求、（２）前記アカウントのために金融商品を買うことの要求、あるいは（３）前記アカウントにおける金融商品の少なくとも一部と前記アカウントの外の他の金融商品の少なくとも一部を交換することの要求、の少なくとも一つを含む、ステップと、
前記受け取られた権限情報に基づいて前記第２のユーザが前記アカウントにおいて資産を取引する権限を与えられたか否かを決定するステップと、
前記受け取られた権限情報に基づいて前記第２のユーザが前記アカウントにおいて資産を取引する権限を与えられたか否かを決定することに応じて、前記要求された取引を生じさせるステップと、
アカウントホルダを追加し又は除去できる方法を定める前記規則に従い、新たなアカウントホルダを前記アカウントに追加するステップと、を含む、コンピュータ読み取り可能な記録媒体。
【手続補正２】
【補正対象書類名】明細書
【補正対象項目名】０２８１
【補正方法】変更
【補正の内容】
【０２８１】
本開示を特定の実施形態及び広く関連する方法に関して説明してきたが、それらの実施形態及び方法の改変形態及び置換形態が当業者に明らかになる。従って、実施形態例についての上記の説明が本開示を限定することはない。添付の特許請求の範囲に定める本開示の趣旨及び範囲から逸脱することなく、他の変更形態、置換形態、及び改変形態も可能である。
[付記１]
アカウントを作成する為の要求を第１のユーザから少なくとも１個のプロセッサによって受け取るステップと、
前記アカウントの複数のアカウントホルダの指定を前記第１のユーザから前記少なくとも１個のプロセッサによって受け取るステップと、
アカウント資産を前記アカウント外に移す権限を与えられた前記複数のアカウントホルダのうちの一部の指定を前記第１のユーザから前記少なくとも１個のプロセッサによって受け取るステップであって、前記複数のアカウントホルダのうちの前記一部は第２のユーザを含む、ステップと、
アカウントホルダを前記アカウントに追加し、又は前記アカウントから除去できる方法を定める規則の指定を前記第１のユーザから前記少なくとも１個のプロセッサによって受け取るステップと、
前記少なくとも１個のプロセッサによって前記アカウントをアクティブにするステップと、
前記アカウントの資産を取り引きする為の要求を前記第２のユーザから前記少なくとも１個のプロセッサによって受け取るステップと、
前記少なくとも１個のプロセッサによって前記要求された取引を生じさせるステップと、
アカウントホルダを追加し又は除去できる方法を定める前記規則に従い、前記少なくとも１個のプロセッサによって新たなアカウントホルダを前記アカウントに追加するステップと
を含む、方法。
[付記２]
アカウントホルダを追加し又は除去できる方法を定める規則に従い、前記アカウントからアカウントホルダを除去するステップを更に含む、付記１に記載の方法。
[付記３]
レポ取引にアカウント資産を使用する為の要求を前記少なくとも１個のプロセッサによって受け取るステップと、
前記少なくとも１個のプロセッサによって前記レポ取引を生じさせるステップと
を更に含む、付記１又は２の何れか一項に記載の方法。
[付記４]
レポ取引にアカウント資産を使用する為の前記要求が、利率、前記レポ取引の満了日、前記レポ取引の影響を受けるアカウント資産、及び前記レポ取引の影響を受ける前記アカウントの外にある資産を定めるステップを含む、付記３に記載の方法。
[付記５]
前記要求された取引を生じさせるステップの前に、前記第２のユーザが前記要求された取引を行う権限を有するとアカウントパラメータが規定しているかどうかを前記少なくとも１個のプロセッサによって判定するステップ
を更に含む、付記１〜４の何れか一項に記載の方法。
[付記６]
複数の金融商品を含む投資信託を前記アカウント内に前記少なくとも１個のプロセッサによって生成するステップ
を更に含む、付記１〜５の何れか一項に記載の方法。
[付記７]
前記アカウント内の前記投資信託の株を買い込む為の要求を第３のユーザから前記少なくとも１個のプロセッサによって受け取るステップと、
或る資金額を前記第３のユーザから前記少なくとも１個のプロセッサによって受け取るステップと、
前記資金額を使用し、前記投資信託の為の更なる資産を購入するステップと、
前記アカウント内の前記投資信託の部分所有権を示す証拠を前記少なくとも１個のプロセッサによって前記第３のユーザに伝送するステップと
を更に含む、付記６に記載の方法。
[付記８]
前記投資信託を第２のアカウント内の第２の投資信託と結合する為の要求を前記少なくとも１個のプロセッサによって受け取るステップと、
前記投資信託を前記第２の投資信託と結合する為の前記要求の承諾を、前記第１のアカウントの許可されたアカウントホルダから前記少なくとも１個のプロセッサによって受け取るステップと、
前記投資信託と前記第２の投資信託とを単一の投資信託へと前記少なくとも１個のプロセッサによって結合させるステップと
を更に含む、付記６又は７に記載の方法。
[付記９]
前記アカウントのアカウントホルダと前記第２のアカウントのアカウントホルダとの間で、前記結合された投資信託の所有権の割当てを決定するステップ
を更に含む、付記８に記載の方法。
[付記１０]
前記要求される取引が、少なくとも１つのドル預託証券（ＤＤＲ）を買い又は売る為の要求を含む、付記１〜９の何れか一項に記載の方法。
[付記１１]
提案された販売及び買戻し約定（レポ）に準じて前記アカウント内の金銭を使用する為の要求を当事者から受け取るステップ
を更に含む、付記１〜１０の何れか一項に記載の方法。
[付記１２]
アカウント資金を移す権限を有するアカウントホルダから、前記提案された販売及び買戻し約定を締結し、前記約定に準じて前記当事者に或る金額を移す為の命令を受け取るステップであって、前記販売及び買戻し約定は移されるアカウント資金額、前記アカウント内に移される１つ又は複数の資産、利率又は利払い額、及び将来の清算日を定める、ステップと、
前記命令に応答し、前記少なくとも１個のプロセッサによって前記アカウントから前記当事者に前記金額を移させるステップと、
前記命令に応答し、前記少なくとも１個のプロセッサによって前記１つ又は複数の資産を前記アカウント内に移させるステップと
を更に含む、付記１１に記載の方法。
[付記１３]
前記清算日に、前記少なくとも１個のプロセッサによって前記アカウントから前記当事者に前記１つ又は複数の資産を返却させるステップと、
前記清算日に、前記少なくとも１個のプロセッサによって前記金額に利息額を加えた額を前記当事者から前記アカウント内に移させるステップと
を更に含む、付記１２に記載の方法。
[付記１４]
提案された販売及び買戻し約定（レポ）に準じて前記アカウント内の１つ又は複数の資産を使用する為の要求を当事者から受け取るステップ
を更に含む、付記１〜１０の何れか一項に記載の方法。
[付記１５]
アカウント資産を移す権限を有するアカウントホルダから、前記提案された販売及び買戻し約定を締結し、前記約定に準じて前記当事者に前記要求された１つ又は複数の資産を移す為の命令を受け取るステップであって、前記販売及び買戻し約定は移されるアカウント資産、前記アカウント内に移される金額、利率又は利払い額、及び将来の清算日を定める、ステップと、
前記命令に応答し、前記少なくとも１個のプロセッサによって前記当事者から前記アカウントに前記金銭を移させるステップと、
前記命令に応答し、前記少なくとも１個のプロセッサによって前記金額を前記アカウント内に移させるステップと
を更に含む、付記１４に記載の方法。
[付記１６]
前記清算日に、前記少なくとも１個のプロセッサによって前記当事者から前記アカウントに前記１つ又は複数の資産を返却させるステップと、
前記清算日に、前記少なくとも１個のプロセッサによって前記金額に利息額を加えた額を前記アカウントから前記当事者に移させるステップと
を更に含む、付記１５に記載の方法。
[付記１７]
前記アカウントが作成され得る前に満たされなければならない初期要件を定める規則の指定を前記第１のユーザから前記少なくとも１個のプロセッサによって受け取るステップ
を更に含む、付記１〜１６の何れか一項に記載の方法。
[付記１８]
前記アカウントがアクティブにされ得る前に前記アカウントに出資されなければならない最低金額を定める規則の指定を前記第１のユーザから前記少なくとも１個のプロセッサによって受け取るステップ
を更に含む、付記１〜１７の何れか一項に記載の方法。
[付記１９]
前記アカウントがアクティブにされ得る前に前記アカウントに参加しなければならない最低ユーザ数を定める規則の指定を前記第１のユーザから前記少なくとも１個のプロセッサによって受け取るステップ
を更に含む、付記１〜１８の何れか一項に記載の方法。
[付記２０]
アカウント資産の所有権をアカウントホルダの間で分配する方法を定める規則の指定を前記第１のユーザから前記少なくとも１個のプロセッサによって受け取るステップ
を更に含む、付記１〜１９の何れか一項に記載の方法。
[付記２１]
前記アカウントを管理する為の管理料を定める規則の指定を前記第１のユーザから前記少なくとも１個のプロセッサによって受け取るステップ
を更に含む、付記１〜２０の何れか一項に記載の方法。
[付記２２]
他の資産と引き換えにアカウント資産を取り引きする権限をどのアカウントホルダが有するのかを定める規則の指定を前記第１のユーザから前記少なくとも１個のプロセッサによって受け取るステップ
を更に含む、付記１〜２１の何れか一項に記載の方法。
[付記２３]
アカウントホルダが所有する前記アカウントの割当分に基づき、前記アカウントホルダが前記アカウント内の資金をどのように及び何時回収できるのかを定める規則の指定を前記第１のユーザから前記少なくとも１個のプロセッサによって受け取るステップ
を更に含む、付記１〜２２の何れか一項に記載の方法。
[付記２４]
取引され得る前記アカウント内の資産の額に対する限度を定める規則の指定を前記第１のユーザから前記少なくとも１個のプロセッサによって受け取るステップ
を更に含む、付記１〜２３の何れか一項に記載の方法。
[付記２５]
アカウント資金を使用して購入され得る資産の種類に対する制限を定める規則の指定を前記第１のユーザから前記少なくとも１個のプロセッサによって受け取るステップ
を更に含む、付記１〜２４の何れか一項に記載の方法。
[付記２６]
前記アカウントを管理する規則を修正できる方法を定める規則の指定を前記第１のユーザから前記少なくとも１個のプロセッサによって受け取るステップ
を更に含む、付記１〜２５の何れか一項に記載の方法。
[付記２７]
アカウントホルダに対するアカウント情報の表示に関する規則の指定を前記第１のユーザから前記少なくとも１個のプロセッサによって受け取るステップ
を更に含む、付記１〜２６の何れか一項に記載の方法。
[付記２８]
前記アカウントに関連するロゴをアカウントホルダが決定できる方法を管理する規則の指定を前記第１のユーザから前記少なくとも１個のプロセッサによって受け取るステップ
を更に含む、付記１〜２７の何れか一項に記載の方法。
[付記２９]
前記アカウントと取り引きすることができない相手方を定める規則の指定を前記第１のユーザから前記少なくとも１個のプロセッサによって受け取るステップ
を更に含む、付記１〜２８の何れか一項に記載の方法。
[付記３０]
前記アカウントの資産を別のアカウントの資産と前記結合することを管理する規則の指定を前記第１のユーザから前記少なくとも１個のプロセッサによって受け取るステップ
を更に含む、付記１〜２９の何れか一項に記載の方法。
[付記３１]
前記アカウントを別のアカウントと前記結合することを管理する規則の指定を前記第１のユーザから前記少なくとも１個のプロセッサによって受け取るステップ
を更に含む、付記１〜３０の何れか一項に記載の方法。
[付記３２]
価値と交換可能なポイントをアカウントホルダが稼ぐ方法を管理する規則の指定を前記第１のユーザから前記少なくとも１個のプロセッサによって受け取るステップ
を更に含む、付記１〜３１の何れか一項に記載の方法。
[付記３３]
前記アカウントのポートフォリオの財務実績を測定する方法を管理する規則の指定を前記第１のユーザから前記少なくとも１個のプロセッサによって受け取るステップ
を更に含む、付記１〜３２の何れか一項に記載の方法。
[付記３４]
複数の違反行為についてアカウントホルダに対して課される罰則を定める規則の指定を前記第１のユーザから前記少なくとも１個のプロセッサによって受け取るステップ
を更に含む、付記１〜３３の何れか一項に記載の方法。
[付記３５]
前記アカウントが子の為に作成され、且つ前記子の親によって定められる指針によって管理される、付記１〜３４の何れか一項に記載の方法。
[付記３６]
前記子のアカウントが前記親のアカウントに結び付けられる、付記１〜３５の何れか一項に記載の方法。
[付記３７]
アカウントホルダによるアカウント活動及び前記アカウントホルダからの通信に基づき、前記アカウントホルダに関する情報を前記少なくとも１個のプロセッサによって求めるステップと、
前記アカウントホルダに関して求めた前記情報に基づき、前記アカウントホルダ向けの複数の広告のうちの１つを前記少なくとも１個のプロセッサによって選択するステップと、
前記少なくとも１個のプロセッサによって、前記選択した広告を前記アカウントホルダ向けに伝達させるステップと
を更に含む、付記１〜３６の何れか一項に記載の方法。
[付記３８]
前記アカウントのアカウントホルダからビデオを前記少なくとも１個のプロセッサによって受け取るステップと、
前記ビデオの表示を複数のユーザに向けて表示させるステップと、
ユーザによる前記表示の選択を受け取るステップと、
前記選択に応答し、前記ビデオを前記ユーザに向けて表示させるステップと、
前記ビデオに関連する評価表示を前記ユーザに向けて表示させるステップと、
前記評価表示の選択を受け取るステップと、
前記評価表示の選択を受け取ることに応答し、前記ビデオに関する評価情報について前記ユーザを促すステップと、
前記ビデオに関する評価情報を前記少なくとも１個のプロセッサによって受け取るステップと
を更に含む、付記１〜３６の何れか一項に記載の方法。
[付記３９]
前記ビデオに関する評価情報を複数のユーザから受け取るステップと、
前記ビデオに関する総合評価情報を出力するステップと
を更に含む、付記３８に記載の方法。
[付記４０]
前記アカウントホルダを含む複数のユーザによってアップロードされた複数のビデオに関する評価情報を受け取るステップと、
ビデオごとに受け取った前記評価情報を集約するステップと、
前記複数のビデオの中から最も評価が高いビデオを決定するステップであって、前記決定された最も評価が高いビデオは前記アカウントホルダから受け取られる前記ビデオを含む、ステップと、
最も評価が高いビデオの一覧を表示させるステップであって、前記一覧は前記最も評価が高いビデオとしての前記ビデオの識別情報を含む、ステップと
を更に含む、付記３９に記載の方法。
[付記４１]
前記ビデオが金融概念に関するチュートリアルを含む、付記３８〜４０の何れか一項に記載の方法。
[付記４２]
前記複数のビデオのそれぞれが前記同じ金融概念に関するビデオを含む、付記３８〜４１の何れか一項に記載の方法。
[付記４３]
前記アカウントホルダから受け取られるビデオが前記最も評価が高いビデオであると判定することに応答し、前記少なくとも１個のプロセッサによって前記アカウントホルダに利益を授与するステップ
を更に含む、付記３８〜４０の何れか一項に記載の方法。
[付記４４]
前記利益が金銭を含む、付記４３に記載の方法。
[付記４５]
前記利益が、前記システムへのコンテンツのプロバイダを選択する権利を含む、付記４３又は４４に記載の方法。
[付記４６]
前記利益が、指定のトピックに関するコンテンツを前記システムに与える為に招待される人物を選択する権利を含む、付記４３〜４５の何れか一項に記載の方法。
[付記４７]
複数のロゴであって、それぞれのロゴがアカウントに関連する複数のロゴに関する評価情報を受け取るステップと、
前記評価情報に基づいて最も評価が高いロゴを決定するステップと、
前記最も評価が高いロゴに関連するアカウントに利益を授与するステップと
を更に含む、付記１〜４６の何れか一項に記載の方法。
[付記４８]
アカウント資金をグループイベントに割り振る為の要求をアカウントホルダから受け取るステップ
を更に含む、付記１〜４７の何れか一項に記載の方法。
[付記４９]
アカウント資金をグループイベントに割り振る為の前記要求を、前記アカウントの資金を割り振る権限を与えられたアカウントホルダに伝達するステップと、
前記アカウントに資金を割り振る権限を与えられた前記アカウントホルダから、前記グループイベントに資金を割り振る命令を受け取るステップと、
前記グループイベントに前記資金を割り振らせるステップと
を更に含む、付記４８に記載の方法。
[付記５０]
ドル預託証券の売りを提供するステップであって、前記提供する行為は、前記ドル預託証券に関する情報を表示装置において表示させるステップを含み、前記ドル預託証券は取引所で取り引きされる金融商品内の部分的権益を表し、前記情報は前記ドル預託証券の値付けに関連する時間及び前記金融商品の指示を含む、ステップと、
第１の量の前記ドル預託証券を買う為の要求をユーザから少なくとも１個のプロセッサによって受け取るステップと、
前記第１の量の前記ドル預託証券に対する支払を前記ユーザから前記少なくとも１個のプロセッサによって受け取るステップと、
前記第１の量の前記ドル預託証券の所有権の証拠を前記ユーザに前記少なくとも１個のプロセッサによって伝送するステップと
を更に含む、付記１〜４９の何れか一項に記載の方法。
[付記５１]
ドル預託証券の売りを提供するステップであって、前記提供する行為は、前記ドル預託証券に関する情報を表示装置において表示させるステップを含み、前記ドル預託証券は取引所で取り引きされる金融商品内の部分的権益を表し、前記情報は前記ドル預託証券の値付けに関連する時間及び前記金融商品の指示を含む、ステップと、
第１の量の前記ドル預託証券を買う為の要求をユーザから少なくとも１個のプロセッサによって受け取るステップと、
前記第１の量の前記ドル預託証券に対する支払を前記ユーザから前記少なくとも１個のプロセッサによって受け取るステップと、
前記第１の量の前記ドル預託証券の所有権の証拠を前記ユーザに前記少なくとも１個のプロセッサによって伝送するステップと
を含む、方法。
[付記５２]
前記金融商品が株式及び債券の１つを含む、付記５１に記載の方法。
[付記５３]
前記第１の量の前記ドル預託証券の所有権の証拠を伝送する前に、或る量の前記金融商品を購入するステップと、
前記第１の量の前記ドル預託証券の所有権の証拠を伝送する前に、複数のドル預託証券であって、その価値が前記金融商品の前記量に由来する複数のドル預託証券を作成するステップと
を更に含む、付記５１に記載の方法。
[付記５４]
少なくとも１個のプロセッサと、
実行時に付記１〜５３の何れか一項に記載の方法を実行するように前記少なくとも１個のプロセッサに指示する命令を記憶する少なくとも１つのメモリと
を含む、機器。
[付記５５]
付記１〜５３の何れか一項に記載の方法を少なくとも１個のプロセッサに実行させるように構成される命令を記憶する、有形コンピュータ可読媒体。